(57)【要約】【課題】持ち運びがしやすく、回転電機の絶縁機能を損ねることなく効率よく洗浄し、容易に後処理することができる回転電機洗浄装置を提供する。【解決手段】回転電機洗浄装置１００は、ドライアイス供給管５と、ドライアイス供給管５が着脱可能に収容される円管部２と、ドライアイス供給管５を回転駆動するモータ６と、円管部２の外周に取り付けられ、円管部２を支持する複数の脚部４と、脚部４の外側の端部に設けられ、回転電機の固定子１０の内周面に接触可能なキャニスタ７とを備え、ドライアイス供給管５の内部にはドライアイスが流通可能であり、ドライアイス供給管５はドライアイスを放出する放出口５ａを有する。【選択図】図１
2016120440.tif 000002
【特許請求の範囲】
【請求項１】
ドライアイス供給管と、
前記ドライアイス供給管が着脱可能に収容されるドライアイス供給管収容部と、
前記ドライアイス供給管を回転駆動する駆動機構と、
前記ドライアイス供給管収容部に取り付けられる複数の脚部と、
前記脚部に設けられ、回転電機の固定子の内周面に接触可能な案内輪とを備え、
前記ドライアイス供給管の内部にはドライアイスが流通可能であり、前記ドライアイス供給管は前記ドライアイスを放出する放出口を有する回転電機洗浄装置。
【請求項２】
前記ドライアイス供給管の前記放出口は、前記ドライアイス供給管の延長方向に対して斜め方向に前記ドライアイスを放出する請求項１に記載の回転電機洗浄装置。
【請求項３】
前記ドライアイス供給管収容部には、前記脚部を開閉させる螺子機構が取り付けられる請求項１又は２に記載の回転電機洗浄装置。
【発明の詳細な説明】
【技術分野】
【０００１】
この発明は、回転電機洗浄装置に関し、特に回転電機の固定子を洗浄する回転電機洗浄装置に関する。
【背景技術】
【０００２】
発電機や電動機等の回転電機を長期間使用すると、回転電機の固定子に埃や油汚れ等が付着するため、定期的に洗浄する必要がある。そこで、従来は作業者が手作業により固定子に付着した汚れをウエスで拭き取ったり、掃除機を使用したりして清掃していた。また、回転電機を工場に持ち込み、スチームや溶剤を用いて洗浄する作業も行われていた。
【０００３】
しかしながら、手作業による清掃作業には時間と手間がかかるという問題があった。特に、回転電機の固定子のコアの内周面やコイルエンドの巻線部分は、手による拭き取りが難しく、作業者が無理な姿勢をとること等による身体的な負担も大きい。また、固定子のコアの奥やコイルエンドの巻線の隙間等、作業者の手の届かない場所は洗浄することができない。一方、回転電機の固定子を工場に持ち込んで洗浄する場合、固定子を工場に搬出入する必要があり、工程が長期化する可能性が高かった。さらに、スチームや溶剤を使用すると、洗浄した後に固定子を乾燥させる必要がある。また、スチームや溶剤を使用した場合、洗浄後の廃液の処理が問題となっていた。
【０００４】
ここで、円筒形状の部材の内部を清掃する洗浄装置としては、特許文献１に示すように、先端にノズルが取り付けられた回転アームを有し、洗浄対象の管内を移動しつつ、回転するノズルから高圧水を噴射させて管の内周面を洗浄する作業台車がある。
【先行技術文献】
【特許文献】
【０００５】
【特許文献１】特開平２−４３９７２号公報
【発明の概要】
【発明が解決しようとする課題】
【０００６】
しかしながら、特許文献１の作業台車では、ノズルを支持するための回転アームが取り付けられている分、複雑な構造となって重量も増加するため、持ち運びに不便である。また、特許文献１の作業台車では、洗浄対象となる部位の場所や形状に応じて高圧水が噴出される角度を変えることができず、かえって洗浄の効率が下がってしまう可能性がある。さらに、水を使用して管内を洗浄しているため、電気機器である回転電機の固定子の洗浄には適しておらず、また高圧水が噴射されることにより、固定子の絶縁被膜が剥がれて絶縁性能が損なわれるおそれもある。また、水を用いて洗浄した後は、固定子を充分に乾燥させなければならず、さらに洗浄後の汚水は産業廃棄物として処理するため、後処理の手間がかかるという問題もある。
【０００７】
この発明は、このような問題を解決するためになされ、持ち運びがしやすく、回転電機の絶縁機能を損ねることなく効率よく洗浄し、容易に後処理することができる回転電機洗浄装置を提供することを目的とする。
【課題を解決するための手段】
【０００８】
上記の課題を解決するために、この発明に係る回転電機洗浄装置は、ドライアイス供給管と、ドライアイス供給管が着脱可能に収容されるドライアイス供給管収容部と、ドライアイス供給管を回転駆動する駆動機構と、ドライアイス供給管収容部に取り付けられる複数の脚部と、脚部に設けられ、回転電機の固定子の内周面に接触可能な案内輪とを備え、ドライアイス供給管の内部にはドライアイスが流通可能であり、ドライアイス供給管はドライアイスを放出する放出口を有する。
これによって、回転電機をドライアイスによって洗浄することができる。また、ドライアイス供給管はドライアイス供給管収容部に収容された上で駆動機構によって回転駆動されるため、回転アーム等の構造が不要である。さらに、ドライアイス供給管はドライアイス供給管収容部に対して着脱可能であるため、適宜取り換えることができる。
【０００９】
また、この発明に係る回転電機洗浄機のドライアイス供給管の放出口は、円管部の延長方向に対して斜め方向にドライアイスを放出してもよい。
さらに、ドライアイス供給管収容部には、脚部を開閉させる螺子機構が取り付けられてもよい。
【発明の効果】
【００１０】
この発明に係る回転電機洗浄装置によれば、持ち運びがしやすく、回転電機の絶縁機能を損ねることなく効率よく洗浄し、容易に後処理することができる。
【図面の簡単な説明】
【００１１】
【図１】この発明の実施の形態に係る回転電機洗浄装置の斜視図であり、回転電機洗浄機の脚部が開いた状態を示す図である。
【図２】図１に示す回転電機洗浄装置の斜視図であり、回転電機洗浄機の脚部が閉じられた状態を示す図である。
【図３】図１に示す回転電機洗浄装置による回転電機の固定子の洗浄の様子を模式的に示す図である。
【図４】図４（ｉ）、（ｉｉ）及び（ｉｉｉ）は、図１に示す回転電機洗浄装置に使用されるドライアイス供給管の形状の例を示す図である。
【発明を実施するための形態】
【００１２】
以下、この発明の実施の形態について添付図面に基づいて説明する。
回転電機洗浄装置１００は、細長い円筒形状の円管部２を有する。円管部２の端部にはドライアイス供給口２ａが形成されており、他端には供給管挿入口２ｂが形成されている。円管部２の供給管挿入口２ｂにはモータ６が取り付けられる。モータ６は外付けのコントローラ（図示せず）によって駆動される。ここで、円管部２が延長する方向をＸ方向とする。さらに、円管部２の供給管挿入口２ｂが形成されている側をＸ方向正側とし、円管部２のドライアイス供給口２ａが形成されている側をＸ方向負側とする。
なお、円管部２は、ドライアイス供給管収容部を構成する。また、モータ６はステッピングモータであり、駆動機構を構成する。
【００１３】
円管部２の外周には、８本の脚部４が取り付けられている。脚部４は、Ｘ方向に沿って４本ずつ２列に並んで設けられる。そして、各々の列の４本の脚部４は、円管部２を中心にして約９０°毎に離間するように放射状に配置されている。脚部４の外側の端部にはキャニスタ７が回転可能に取り付けられている。ここで、Ｘ方向負側の列の４本の脚部４を後方脚部４ａとし、Ｘ方向正側の列の４本の脚部４を前方脚部４ｂとする。後方脚部４ａの各々と前方脚部４ｂの各々とは、Ｘ方向に互いに並んで対をなしている。また、後方脚部４ａは、円管部２の外周面に設けられる略円環形状の第一取付部４６を介して、円管部２に対して回動可能に取り付けられている。また同様に、前方脚部４ｂも、円管部２の外周面に設けられる略円環形状の第二取付部４７を介して、円管部２に対して回動可能に取り付けられている。さらに、後方脚部４ａの各々には第一板状部材４３が取り付けられている。また同様に、前方脚部４ｂの各々には第二板状部材４４が取り付けられている。対になった後方脚部４ａと前方脚部４ｂとの間には、第一板状部材４３と第二板状部材４４とを介して第一連結部材４１が架け渡されている。ここで、第一連結部材４１の両端部は、それぞれ第一板状部材４３及び第二板状部材４４に回動可能に取り付けられている。さらに、第一取付部４６と第二取付部４７との間において、円筒部２の外周には略円環形状の部材である第三取付部４５が嵌合されている。第三取付部４５は、第一取付部４６と第二取付部４７との間をスライドして移動することができる。そして、第三取付部４５と前方脚部４ｂの第二板状部材４４との間には第二連結部材４２が架け渡される。第二連結部材４２の両端部は、それぞれ第三取付部４５及び第二板状部材４４に回動可能に取り付けられている。
ここで、キャニスタは案内輪を構成する。
【００１４】
第一取付部４６には略円管形状の第一ハンドル支持部３１ａが固定して設けられる。さらに、第三取付部４５にも同様に略円管形状の第二ハンドル支持部３１ｂが固定して設けられている。第一ハンドル支持部３１ａと第二ハンドル支持部３１ｂとは、Ｘ方向に直線的に並んで配置される。そして、第一ハンドル支持部３１ａと第二ハンドル支持部３１ｂとには、ハンドル部３が挿入される。なお、ハンドル部３のＸ方向正側の端部は、第二ハンドル支持部３１ｂの内部に収納され、第二ハンドル支持部３１ｂのＸ方向正側には突出しないように固定されている。さらに、ハンドル部３の外周面には雄ねじが切られており、第一ハンドル支持部３１ａの内周面には雌ねじが切られている。また、ハンドル部３のＸ方向負側の端部には、作業者が把持可能な操作ハンドル３ａが設けられている。
ここで、ハンドル部３、第一ハンドル支持部３１ａ及び第二ハンドル支持部３１ｂは、脚部４を開閉させるための螺子機構を構成し、これらの螺子機構は全体として円管部２の側部に取り付けられている。
【００１５】
円管部２の内部には、ドライアイス供給管５が挿入されて回転可能に収容されるとともに、Ｘ方向に延長している。そして、それと同時に、円管部２の供給管挿入口２ｂに設けられたモータ６にもドライアイス供給管５が貫通して固定され、モータ６によるドライアイス供給管５の回転駆動が可能となる。ここで、図４（ｉ）に示すように、ドライアイス供給管５は先端部が屈曲した金属製の円管であり、屈曲した端部には放出口５ａが形成されている。ドライアイス供給管５の先端部は、円管部２の供給管挿入口２ｂ及びモータ６から突出している。そして、円管部２のドライアイス供給口２ａにはホース２０が挿入され、ホース２０は円管部２の内部のドライアイス供給管５に接続される（図３参照）。ここで、ドライアイス供給管５は、ホース２０に対して相対的に回転可能となるように接続されている。なお、ホース２０は、二酸化炭素ボンベ等を有するドライアイス供給装置（図示せず）に連結し、内部をドライアイスが流通する。また、回転電機洗浄装置１００を使用しない時にモータ６及びホース２０からドライアイス供給管５を取り外すことによって、ドライアイス供給管５を円管部２に対して着脱可能とすることができる。
【００１６】
次に、回転電機洗浄装置１００の脚部４の開閉動作について説明する。
まず、回転電機洗浄装置１００を、図１に示すような開いた状態から、図２に示すような閉じた状態に変化させる場合について説明する。初めに、作業者はハンドル部３の操作ハンドル３ａを把持し、雄ねじが切られたハンドル部３を、雌ねじが切られた第一ハンドル支持部３１ａに向かって捩じ込むように回転させながら、ハンドル部３をＸ方向正側へ移動させる（矢印Ａ１）。これに伴い、第二ハンドル支持部３１ｂ及び第三取付部４５もＸ方向正側へ移動し、それとともに第二連結部材４２も前方脚部４ｂをＸ方向正側に向かって押すように移動する。従って、４本の前方脚部４ｂは、第二連結部材４２に押されながらＸ方向正側に徐々に回動し（矢印Ａ２）、互いに窄まって閉じられていく。このように前方脚部４ｂが第二取付部４７を中心にしてＸ方向正側に徐々に移動するにつれ、後方脚部４ａも、前方脚部４ｂとの間に架け渡された第一連結部材４１によって引っ張られてＸ方向正側へと回動していく（Ａ３）。すなわち、４本の後方脚部４ａも互いに窄まって閉じられていく。これによって、図２に示すように、８本の脚部４は閉じられた状態となる。
一方、図２に示すような脚部４が閉じられた状態から、作業者が操作ハンドル３ａを把持して、ハンドル部３を第一ハンドル支持部３１ａから引き出すように反対方向に回転させると、脚部４は、図１に示すような開いた状態に変化する。
【００１７】
次に、図３を用いて、回転電機洗浄装置１００による回転電機の固定子１０の洗浄方法について説明する。なお、固定子１０は、略円筒形状のコア１０ａと、コア１０ａの両端に設けられる巻線形状のコイルエンド１０ｂを有するものとする。
まず、作業者が回転電機の固定子１０のコア１０ａの内部に回転電機洗浄装置１００を配置する。そして、作業者はハンドル部３の操作ハンドル３ａを把持して回転させ、キャニスタ７が固定子の内周面に当接するように脚部４を開いた状態とする。これによって、円管部２は８個の脚部４によって支持され、固定子１０のコア１０ａ内部の中央部分に位置しつつ、コア１０ａの内側をＸ方向に延長する。そして、モータ６のスイッチ及びドライアイス供給装置のスイッチをＯＮにすると、モータ６がドライアイス供給管５を回転駆動するとともに、ドライアイス供給管５の内部に粉末状のドライアイスが流通する。従って、ドライアイスは、回転するドライアイス供給管５の放出口５ａから放出され、固定子１０のコア１０ａの内周面又はコイルエンド１０ｂに吹き付ける。なお、ドライアイスの圧力は、ドライアイス供給装置のレギュレータ（図示せず）によって調整することができる。ドライアイスは、汚れや粉塵を固定子１０のコア１０ａやコイルエンド１０ｂから剥離させた後、昇華する。そして、作業者はハンドル部３の操作ハンドル３ａを把持しつつ、汚れの状態や洗浄の進捗状況によって回転電機洗浄装置１００を適宜、Ｘ方向正側又は負側へ移動させてゆき、固定子１０のコア１０ａの内周面及びコイルエンド１０ｂを全体的に洗浄する。このようにして洗浄作業が完了したら、モータ６及びドライアイス供給装置のスイッチをＯＦＦにし、操作ハンドル３ａを回転させて脚部４を閉じられた状態としてから、回転電機洗浄装置１００を固定子１０の内部から取り出す。そして最後に、ファン等の送風手段を用いて洗浄後の固定子１０に送風し、剥離した汚れや粉塵等の残渣を吹き飛ばす。または、集塵装置によって固定子１０に残った残渣を吸引してもよい。
【００１８】
以上より、この実施の形態１に係る回転電機洗浄装置１００では、回転電機の固定子１０の洗浄に用いるドライアイスを放出するドライアイス供給管５を、円管部２の内部に収容するため、全体的な構造を簡易かつ小型化することができ、持ち運びがしやすい。
また、ドライアイスを用いて回転電機の固定子１０のコア１０ａの内周面やコイルエンド１０ｂを洗浄することができるため、水を用いる必要がなく、固定子１０の絶縁機能が損なわれるおそれがない。さらに、洗浄に利用されたドライアイス自体は昇華するため、汚水等の産業廃棄物が発生するおそれがなく、回転電機を乾燥させる工程も不要なため、後処理が簡易である。
また、ドライアイス供給管５はモータ６によって回転駆動されるので、放出口５ａを介してドライアイスを３６０°放出することができ、より効率の良い洗浄が可能となる。
【００１９】
さらに、ドライアイス供給管５は着脱可能なので、洗浄対象である固定子１０のコア１０ａの径の大きさや汚れの程度に合わせて、ドライアイス供給管５を別の形状の管に取り換えることができる。例えば、この実施の形態では、図４（ｉ）に示すように、先端部が２０°程度曲折したドライアイス供給管５が用いられているが、図４（ｉｉ）に示すように、先端部が４５°曲折したドライアイス供給管１５に交換してもよい。さらに、図４（ｉｉｉ）に示すように、直線形状のドライアイス供給管２５の外周に放出口２５ａが形成されていてもよい。放出口２５ａからはドライアイス供給管２５の径方向にドライアイスが放出されるが、Ｘ方向に対して斜め方向に向かってドライアイスが放出される構造としてもよい。このように、ドライアイス供給管を適宜交換することによって、ドライアイスが放出される角度を変え、より効率よく回転電機の固定子１０を洗浄することができる。
【００２０】
また、ドライアイス供給管５の先端部が曲折している、且つドライアイス供給管５はモータ６によって回転駆動するため、放出口５ａは、ドライアイス供給管５が延長するＸ方向に対して斜め方向に、且つ３６０°方向にドライアイスを放出する。よって、作業者が回転電機洗浄装置１００を押して固定子１０のコア１０ａの奥まで移動させなくても、コア１０ａの奥側や作業者の反対側に位置するコイルエンド１０ｂにまでドライアイスを吹き付けることができる。従って、作業者の身体的な負担を軽減させることができる。また、一定の角度を持った斜め方向からドライアイスを吹き付けることで、コイルエンド１０ｂの巻線の隙間までドライアイスが入り込みやすくすることができる。
【００２１】
また、円管部２の側部には、脚部４を開閉させるための螺子機構であるハンドル部３、第一ハンドル支持部３１ａ及び第二ハンドル支持部３１ｂが取り付けられている。これにより、作業者はハンドル部３を回転させることで、洗浄対象の固定子のコアの径の大きさに応じて開く角度を適宜変えることができる。さらに、使用しない時は脚部４を閉じた状態とすることで持ち運びがしやすくなり、また、回転電機洗浄装置１００の収納スペースを小さくすることができる。また、ハンドル部３の雄ねじと第一ハンドル支持部３１ａの雌ねじとの係合を利用して脚部４を開閉可能としているため、アクチュエータ等を用いて脚部４を開閉させる場合と比較して、構造が簡易である。よって、回転電機洗浄装置１００の構造をより小型化かつ軽量化することができる。
【符号の説明】
【００２２】
２  円管部（ドライアイス供給管収容部）、３  ハンドル部（螺子機構）、４  脚部、５  ドライアイス供給管、５ａ  放出口、６  モータ（駆動機構）、７  キャニスタ（案内輪）、３１ａ  第一ハンドル支持部（螺子機構）、３１ｂ  第二ハンドル支持部（螺子機構）、１００  回転電機洗浄装置。
【図１】
2016120440.tif 000003
【図２】
2016120440.tif 000004
【図３】
2016120440.tif 000005
【図４】
2016120440.tif 000006